(57)【特許請求の範囲】
【請求項１】
ユーザパケットチャネルのパケット中の複数のスロットすべてを移動機が通信用として使用することが可能な移動機無線システムにおける移動機において、
受信したパケットからスロットを検出する手段と、
検出したスロットにおける情報から、前記受信したパケットにおける前記スロットと、次のパケットにおける同一スロットにおいてアイドルユニットが継続するか否かを判別する手段と、
前記アイドルユニットが継続すると判別された場合には、前記次のパケットにおける同一スロットで周辺ゾーンの監視を開始する指令を出力する手段と、
前記周辺ゾーンの開始指令の出力があった場合には、前記次のパケットにおける同一のスロットの受信タイミングにおいてパケットの受信を一時中止して周辺ゾーンの監視を行う手段と、を備えることを特徴とする移動機。
【請求項２】
ユーザパケットチャネルのパケット中の複数のスロットすべてを移動機が通信用として使用することが可能な移動機無線システムにおける移動機において、
受信したパケットからスロットを検出する手段と、
検出したスロットが先頭スロットであるか否かを判別し、先頭スロットである場合には、当該スロットにおける情報から、前記受信したパケットが自移動機宛のパケットであるか否かを判別する手段と、
前記自移動機宛のパケットでないと判別された場合には、周辺ゾーンの監視を開始する指令を出力する第１開始指令出力手段と、
前記検出したスロットにおける情報から、前記受信したパケットにおける前記スロットと、次のパケットにおける同一スロットにおいてアイドルユニットが継続するか否かを判別する手段と、
前記アイドルユニットが継続すると判別された場合には、前記次のパケットにおける同一スロットで周辺ゾーンの監視を開始する指令を出力する第２開始指令出力手段と、
前記第１開始指令出力手段による出力があった場合には、パケットの受信を一時中止して周辺ゾーンの受信レベルの監視を行い、前記第２開始指令出力手段による出力があった場合には、前記次のパケットにおける同一のスロットの受信タイミングにおいてパケットの受信を一時中止して周辺ゾーンの監視を行う手段と、を備えることを特徴とする移動機。
【請求項３】
ユーザパケットチャネルのパケット中の複数のスロットすべてを移動機が通信用として使用することが可能な高速フルデュプレックスパケット通信において、
受信したパケットからスロットを検出し、検出したスロットにおける情報から、前記受信したパケットにおける前記スロットと、次のパケットにおける同一スロットにおいてアイドルユニットが継続するか否かを判別し、継続する場合には、前記次のパケットにおける同一スロットの受信タイミングで周辺ゾーンの監視を行うことを特徴する高速フルデュプレックスパケット通信における周辺ゾーンの監視方法。
【請求項４】
ユーザパケットチャネルのパケット中の複数のスロットすべてを移動機が通信用として使用することが可能な高速フルデュプレックスパケット通信において、
受信したパケットからスロットを検出し、検出したスロットにおける情報から、前記受信したパケットにおける前記スロットと、次のパケットにおける同一スロットにおいてアイドルユニットが継続するか否かを判別する第１ステップと、
受信したパケットからスロットを検出し、検出したスロットが先頭スロットであるか否かを判別し、先頭スロットである場合には、当該スロットにおける情報から、前記受信したパケットが自移動機宛のパケットであるか否かを判別する第２ステップと、を備え、
前記第１ステップによりアイドルユニットが機継すると判別された場合には、前記次のパケットにおける同一スロットの受信タイミングで周辺ゾーンの監視を行い、前記第２ステップにより自移動機宛のパケットでないと判別された場合には、周辺ゾーンの監視を行うことを特徴する高速フルデュプレックスパケット通信における周辺ゾーンの監視方法。
【発明の詳細な説明】
【０００１】
【発明の属する技術分野】
本発明は、高速フルデュプレックスパケット通信方式を採用したＰＤＣ（Personal Digital Cellular）等の移動機無線システムにおける移動機の周辺ゾーンの監視に係る技術分野に関する。
【０００２】
【従来の技術】
従来より、ＰＤＣ等の移動機無線システムにて採用する低速フルデュプレックスパケット通信方式（「デジタル方式自動車電話システム標準規格ＳＴＤ−２７Ｉ」で規定）において、移動機が下りデータ通信用として使用できるユーザパケットチャネル（以下「ＵＰＣＨ」という）における１フレーム中には３スロット設けられており、そのうち１スロットを移動機が通信用として使用し、残りの２スロット（空スロット）を周辺ゾーンの受信レベルを監視するために使用し、的確なゾーン移行を可能としていた。
【０００３】
ところで、近年のトラフィック量の増大等に伴い、下りデータ通信を高速化することができるように、ＵＰＣＨにおいても、１フレーム中の３スロットすべてを移動機が通信用として使用できる高速フルデュプレックスパケット通信方式が検討されている。
【０００４】
【発明が解決しようとする課題】
しかしながら、従来の移動機においては、ＵＰＣＨの受信動作を継続して行うため、３スロットすべてを移動機が使用することとなると、周辺ゾーンの受信レベルの監視ができなくなってしまう。その結果、移動機は、的確なゾーン移行動作を行うことが困難であるという問題があった。
【０００５】
また、従来の移動機においては、指定された１スロットのみを見ていたので、空きを見て周辺ゾーン監視する必要がなかったが、２．５ＧＨｚを用いた通信においては、３スロットすべてを用いるため、空きスロットがなく、従来のように周辺ゾーンの監視をすることができないという問題があった。
【０００６】
本発明は、上記問題に鑑みてなされたものであり、高速フルデュプレックスパケット通信方式においても、周辺ゾーンの受信レベルの監視を行い、的確なゾーン移行動作が可能な移動機および、高速フルデュプレックスパケット通信方式における周辺ゾーンの監視方法を提供することを目的とする。
【０００９】
【課題を解決するための手段】
請求項１に記載の発明は、ユーザパケットチャネルのパケット中の複数のスロットすべてを移動機が通信用として使用することが可能な移動機無線システムにおける移動機において、受信したパケットからスロットを検出する手段と、検出したスロットにおける情報から、前記受信したパケットにおける前記スロットと、次のパケットにおける同一スロットにおいてアイドルユニットが継続するか否かを判別する手段と、前記アイドルユニットが継続すると判別された場合には、前記次のパケットにおける同一スロットで周辺ゾーンの監視を開始する指令を出力する手段と、前記周辺ゾーンの開始指令の出力があった場合には、前記次のパケットにおける同一のスロットの受信タイミングにおいてパケットの受信を一時中止して周辺ゾーンの監視を行う手段と、を備えるように構成する。ここで、移動機には、ＰＤＣなどの携帯電話機、ＰＨＳ、自動車携帯電話機などの移動無線通信電子機器が含まれる。
【００１０】
請求項１に記載の発明によれば、アイドルユニットが継続するか否かを判別して、継続する場合に、次のスロットの受信タイミングで周辺ゾーン監視を行うように構成したので、高速フルデュプレックスパケット通信方式においても、的確なゾーン移行動作を行うことができる。
【００１１】
請求項２に記載の発明は、ユーザパケットチャネルのパケット中の複数のスロットすべてを移動機が通信用として使用することが可能な移動機無線システムにおける移動機において、受信したパケットからスロットを検出する手段と、検出したスロットが先頭スロットであるか否かを判別し、先頭スロットである場合には、当該スロットにおける情報から、前記受信したパケットが自移動機宛のパケットであるか否かを判別する手段と、前記自移動機宛のパケットでないと判別された場合には、周辺ゾーンの監視を開始する指令を出力する第１開始指令出力手段と、前記検出したスロットにおける情報から、前記受信したパケットにおける前記スロットと、次のパケットにおける同一スロットにおいてアイドルユニットが継続するか否かを判別する手段と、前記アイドルユニットが継続すると判別された場合には、前記次のパケットにおける同一スロットで周辺ゾーンの監視を開始する指令を出力する第２開始指令出力手段と、前記第１開始指令出力手段による出力があった場合には、パケットの受信を一時中止して周辺ゾーンの受信レベルの監視を行い、前記第２開始指令出力手段による出力があった場合には、前記次のパケットにおける同一のスロットの受信タイミングにおいてパケットの受信を一時中止して周辺ゾーンの監視を行う手段と、を備えるように構成する。
【００１２】
請求項２に記載の発明によれば、上記請求項１に記載の発明と同様の効果を得ることができる。加えて、周辺ゾーン監視の頻度を向上させることができるので、より有効なゾーン移行動作を行うことができる。
【００１５】
請求項３に記載の発明は、ユーザパケットチャネルのパケット中の複数のスロットすべてを移動機が通信用として使用することが可能な高速フルデュプレックスパケット通信において、受信したパケットからスロットを検出し、検出したスロットにおける情報から、前記受信したパケットにおける前記スロットと、次のパケットにおける同一スロットにおいてアイドルユニットが継続するか否かを判別し、継続する場合には、前記次のパケットにおける同一スロットの受信タイミングで周辺ゾーンの監視を行うように構成する。
【００１６】
請求項３に記載の発明によれば、請求項１に記載の発明と同等の効果を得ることができる。
【００１７】
請求項４に記載の発明は、ユーザパケットチャネルのパケット中の複数のスロットすべてを移動機が通信用として使用することが可能な高速フルデュプレックスパケット通信において、受信したパケットからスロットを検出し、検出したスロットにおける情報から、前記受信したパケットにおける前記スロットと、次のパケットにおける同一スロットにおいてアイドルユニットが継続するか否かを判別する第１ステップと、受信したパケットからスロットを検出し、検出したスロットが先頭スロットであるか否かを判別し、先頭スロットである場合には、当該スロットにおける情報から、前記受信したパケットが自移動機宛のパケットであるか否かを判別する第２ステップと、を備え、前記第１ステップによりアイドルユニットが機継すると判別された場合には、前記次のパケットにおける同一スロットの受信タイミングで周辺ゾーンの監視を行い、前記第２ステップにより自移動機宛のパケットでないと判別された場合には、周辺ゾーンの監視を行うように構成する。
【００１８】
請求項４に記載の発明によれば、請求項２に記載の発明と同等の効果を得ることができる。
【００１９】
【発明の実施の形態】
以下、本発明の好適な実施の形態を添付図面に基づいて説明する。図１は、本発明の実施形態にかかる移動機の概略構成例である。図中、制御・処理部１０は、演算機能を有するＣＰＵや複合論理回路、高周波回路、クロック発生回路、ＲＡＭ等などからなり、ＲＡＭを作業用の記憶領域として使用しながら移動機１における様々な制御・処理を実行する。また、制御・処理部１０には、チャネル接続、切替動作やパケット受信処理を担う受信処理部１０ａ、周辺ゾーン監視の開始判定処理を担うユニット判定処理部１０ｂ、周辺ゾーンの受信レベルの監視処理を担う周辺ゾーン監視処理部１０ｃなどが論理的に構築されている。受信バッファ１１は、受信データを一時格納し制御・処理部１０に提供する。
【００２０】
記憶部１２は、ＲＯＭ、Ｐ−ＲＯＭ、メモリカードなどからなり、制御・処理部１０により実行される種々のプログラムや、チャネル移行処理を行う閾値を設定するパラメータや、ゾーン移行の候補となるＵＰＣＨを示すテーブルなどが記憶されている。なお、移動機１には、この他にも、送信処理部や、送信バッファ等の公知の構成要素が備えられているが、本発明とは直接の関係がないのでこれらの説明は省略する。
【００２１】
このような構成において、制御・処理部１０の受信処理部１０ａは、ＵＰＣＨの受信動作を行い、スーパーフレームの信号データ中から、サブフレーム（パケット）およびスロットの検出を行う。サブフレーム中には、３つのスロットが存在するが、本発明においては、３つのスロットすべてを移動機が通信用として使用することを前提とする（高速フルデュプレックスパケット通信方式）。従って、本発明は、従来のように、常に、所定のスロットにて、周辺ゾーン監視することはせず、その代わりに、ユニット判定処理部１０ｂの判定に基づき、所定のタイミングで周辺ゾーン監視を行うことを特徴とする。
【００２２】
図２（Ａ）は、１スロットにおけるユニット内のフォーマットを示すものである。このようなユニットは、受信処理部１０ａにより公知のアルゴリズムにより抽出される。また、ユニットは、８ビットのＷビット（信号構成情報）とレイヤ２情報から構成される。さらに、Ｗビットは、Ｆ１、Ｆ２、Ｗ０の情報から構成される。Ｆ１では、当該ユニットが先頭ユニットであるか否か（先頭ユニットの場合“１”、非先頭ユニットの場合”０“）を示し、Ｆ２では、当該ユニットが最終ユニットであるか否か（最終ユニットの場合“１”、非最終ユニットの場合”０“）を示す。また、Ｗ０では、Ｆ２＝１の場合、有効バイト数を示し、Ｆ２＝０の場合、残りユニット数Ｗｒ（１〜６２）や、当該ユニットのレイヤ２情報が無いこと（Ｗ０＝０）や、６３ユニット以上のレイヤ２情報がある（Ｗ０＝６３）ことを示す。制御・処理部１０のユニット判定処理部１０ｂは、このＷ０により、ユニットの種別（先頭ユニット、途中ユニット、最終ユニット）を判別する。
【００２３】
ここで、Ｗ０が２以上の場合には、スロット毎に割り当てられるレイヤ２情報が複数統合して１つのレイヤ２情報が完成されることとなる。ユニット判定処理部１０ｂは、このＷ０により、継続するユニットがあと何ユニット送られてくるかを認識することができる。
【００２４】
また、レイヤ２情報が無い（Ｗ０＝０）場合のユニット（以下「アイドルユニット」という）は、移動機共通に所定の情報を与える（主として、誤り訂正に用いられる）ものであり、図２（Ｂ）は、アイドルユニットに含まれるオクテットの情報例を示すものである。図２（Ｂ）中、オクテット１におけるＩは、同一スロットにおいて継続するアイドルユニット数を示すものであり、例えば、Ｉ＝１であれば、次のスロットにもアイドルユニットが連続することを意味し、Ｉ＝２であれば、次のスロットとその次のスロットにもアイドルユニットが連続することを意味する。このようにアイドルユニットが連続する場合、制御・処理部１０は、そのうち一つのアイドルユニットを受信すれば、誤り訂正等の処理に十分である。ユニット判定処理部１０ｂは、Ｗ０により、アイドルユニットであるか否かや、アイドルユニットに含まれるオクテット内の情報を認識する。
【００２５】
また、各スロットのうち、先頭スロット（先頭ユニット）のレイヤ情報２にアドレスフィールドが含まれており、そのうちの一部がＭＳＩ（移動機番号）である。ユニット判定処理部１０ｂは、このＭＳＩにより、受信したパケットが自移動機宛のパケットであるか他移動機宛のパケットをあるかを判別する。なお、図２（Ｂ）中の他のオクテットは、本発明と直接の関係がないので説明を省略する。
【００２６】
次に、周辺ゾーン監視を行う際の移動機１の動作について図３に示すフローチャートを参照して説明する。図３（Ａ）は、ユニット判定処理部１０ｂにおける周辺ゾーン監視の開始判定処理の第１の実施例を、図３（Ｂ）は、ユニット判定処理部１０ｂにおける周辺ゾーン監視の開始判定処理の第２の実施例を、図４は、ユニット判定処理部１０ｂにおける周辺ゾーン監視の開始判定処理の第３の実施例を、それぞれ示すものである。以下、第１、第２、第３の実施例の順に説明する。なお、第２および３の実施例の説明のうち、第１の実施例と重複する部分の説明は省略する。
【００２７】
（第１の実施例）
第１の実施例では、先ず、公知の手段により、受信処理部１０ａは、基地局から指定されたＵＰＣＨに接続し、スーパーフレームの信号データの受信動作を開始する。受信された信号データは、一旦、受信バッファ１１に格納される。続いて、受信処理部１０ａは、受信バッファ１１上の受信データからパケットおよびスロットを検出し、当該スロットからユニットを抽出する。
【００２８】
図３（Ａ）に示すように、ユニット判定処理部１０ｂは、上記抽出されたユニットのＷ（信号構成情報）内のＦ１を参照し、当該ユニットが先頭ユニットであるか否か（Ｆ１＝1若しくはＦ１＝０）を判別する（ステップＳ１）。先頭ユニットである場合には、ユニット判定処理部１０ｂは、そのユニットのレイヤ情報２におけるアドレスフィールドに存在するＭＳＩを参照し、受信したパケットが自移動機宛のパケットであるか他移動機宛のパケットをあるか否かを判別する（ステップＳ２）。自移動機宛のパケットでない場合には、ユニット判定処理部１０ｂは、受信処理部１０ａおよび周辺ゾーン監視処理部１０ｃに対して、周辺ゾーン監視開始指令を出力する（ステップＳ３）。
【００２９】
これにより、受信処理部１０ａは、ＵＰＣＨの受信動作を一時中止する。また、周辺ゾーン監視処理部１０ｃは、チャネル移行処理を行う閾値を設定するパラメータを参照しつつ、周辺ゾーンの受信レベルの監視処理を毎スロットタイミング（約２０ｍｓ間隔）で行う。かかる周辺ゾーンの監視処理は、約Ｗ０×２０ｍｓの間行われることとなる。周辺ゾーン監視処理部１０ｃにより周辺ゾーンへの移行の必要性が生じた場合には、受信処理部１０ａは、ゾーン移行の候補となるＵＰＣＨを示すテーブルを参照して、ＵＰＣＨの切替制御を行う。また、かかるテーブルは、周辺レベル測定時に更新される。
【００３０】
このように、第１の実施例によれば、自移動機宛のパケットであるか否かを判別して、自移動機宛のパケットでない場合に、周辺ゾーン監視を行うように構成したので、３つのスロットすべてを移動機が通信用として使用する高速フルデュプレックスパケット通信方式においても、的確なゾーン移行動作を行うことができる。
【００３１】
（第２の実施例）
第２の実施例では、第１の実施例と同様に、受信処理部１０ａは、受信バッファ１１上の受信データからサブフレームおよびスロットを検出し、当該スロットからユニットを抽出する。
【００３２】
図３（Ｂ）に示すように、ユニット判定処理部１０ｂは、上記抽出されたユニットのＷ（信号構成情報）内のＷ０を参照し、当該ユニットがアイドルユニットであるか否か（Ｗ０＝０）を判別する（ステップＳ１１）。アイドルユニットである場合には、ユニット判定処理部１０ｂは、そのユニットのオクテット１におけるＩを参照して、Ｉ＝１、若しくはＩ＝２であるか否かを判別、即ち、アイドクユニットが継続するか否か判別する（ステップＳ１２）。Ｉ＝１、若しくはＩ＝２である場合には、ユニット判定処理部１０ｂは、次のパケットの同一スロットの受信タイミングで周辺ゾーン監視を開始する指令を、受信処理部１０ａおよび周辺ゾーン監視処理部１０ｃに対して出力する（ステップＳ１３）。
【００３３】
これにより、受信処理部１０ａは、次のパケットの同一スロットの受信タイミングでＵＰＣＨの受信動作を中止し、周辺ゾーン監視処理部１０ｃは、そのタイミングで、周辺ゾーンの受信レベルの監視処理を行う。
【００３４】
このように、第２の実施例によれば、アイドルユニットが継続するか否かを判別して、継続する場合に、次のスロットの受信タイミングで周辺ゾーン監視を行うように構成したので、上記第１の実施例と同様の効果を得ることができる。
【００３５】
（第３の実施例）
第３の実施例は、上記第１および第２の実施例を組み合わせたものであり、この場合も、受信処理部１０ａは、受信バッファ１１上の受信データからサブフレームおよびスロットを検出し、当該スロットからユニットを抽出する。
【００３６】
図４に示すように、ユニット判定処理部１０ｂは、上記抽出されたユニットのＷ（信号構成情報）内のＷ０を参照し、当該ユニットがアイドルユニットであるか否か（Ｗ０＝０）を判別する（ステップＳ２１）。アイドルユニットでない場合には、ユニット判定処理部１０ｂは、上記抽出されたユニットのＷ（信号構成情報）内のＦ１を参照し、当該ユニットが先頭ユニットであるか否か（Ｆ１＝1若しくはＦ１＝２）を判別する（ステップＳ２２）。
【００３７】
ステップＳ２１において、アイドルユニットであると判別した場合には、ユニット判定処理部１０ｂは、上記第２実施例と同様の処理を行う（ステップＳ２３、ステップＳ２４）。
【００３８】
また、ステップＳ２２において、先頭ユニットであると判別した場合には、ユニット判定処理部１０ｂは、上記第２実施例と同様の処理を行う（ステップＳ２５、ステップＳ２６）。
【００３９】
このように、第３の実施例によれば、第１および２の実施例を組み合わせて、周辺ゾーン監視を行うように構成したので、上記第１の実施例と同様の効果を得ることができる。加えて、かかる組み合わせにより、周辺ゾーン監視の頻度を向上させることができるので、より有効なゾーン移行動作を行うことができる。
【００４０】
なお、上記実施形態は、すべてのＴＤＭＡ（Time Division Multiple Access）方式高速パケット通信携帯電話機、およびＴＤＭＡ方式高速パケット通信方式をサポートしたデュアルバンド以上の携帯電話機に利用することができる。
【００４１】
【発明の効果】
以上で説明したように、本発明によれば、３つのスロットすべてを移動機が通信用として使用する高速フルデュプレックスパケット通信方式においても、所定のタイミングで周辺ゾーン監視を行うように構成したので、的確かつ有効なゾーン移行動作を行うことができる。
【図面の簡単な説明】
【図１】本発明の実施形態にかかる移動機の概略構成例を示す図である。
【図２】（Ａ）は、１スロットにおけるユニット内のフォーマットを示す図である。スーパーフレーム中におけるデータフォーマットを示す図である。（Ｂ）は、アイドルユニットに含まれるオクテットの情報例を示す図である。
【図３】（Ａ）は、ユニット判定処理部１０ｂにおける周辺ゾーン監視の開始判定処理の第１の実施例を、（Ｂ）は、ユニット判定処理部１０ｂにおける周辺ゾーン監視の開始判定処理の第２の実施例を、それぞれ示すフローチャートである。
【図４】ユニット判定処理部１０ｂにおける周辺ゾーン監視の開始判定処理の第３の実施例を示すフローチャートである。
【符号の説明】
１  移動機
１０  制御・処理部
１０ａ  受信処理部
１０ｂ  ユニット判定処理部
１０ｃ  周辺ゾーン監視処理部
１１  受信バッファ
１２  記憶部
【図１】
0004015819.tif 000002
【図２】
0004015819.tif 000003
【図３】
0004015819.tif 000004
【図４】
0004015819.tif 000005